(57)【特許請求の範囲】
【請求項１】
内蔵アンテナを有する携帯通信端末が、外部アンテナを有するクレードルに装着され、前記クレードルに接続するパーソナルコンピュータと通信する際に、前記内蔵アンテナを前記外部アンテナに切替えするシステムにおいて、前記パーソナルコンピュータは前記携帯通信端末との接続が確認された際に前記携帯通信端末にアンテナの選択切替え指示を送る切替え選択部を備え、前記携帯通信端末はその選択切替え指示を受ける制御部とこの制御部の制御を受けて内蔵アンテナと外部アンテナとを切替えする内蔵アンテナ切替え部とを備え、前記クレードルは前記パーソナルコンピュータの選択切替え指示を受ける制御部とこの制御部の制御を受けて複数の前記外部アンテナを切替えして一つを選択する外部アンテナ切替え部とを備え、この外部アンテナ切替え部は前記パーソナルコンピュータと前記クレードルとの相互で予め定められたコマンドの正常な授受により選択切替えの動作を実行することを特徴とする携帯通信端末のアンテナ切替えシステム。
【請求項２】
請求項１に記載の携帯通信端末のアンテナ切替えシステムにおいて、前記パーソナルコンピュータと前記携帯通信端末との相互間で通信コマンドが予め定められており、前記切替え選択部は前記携帯通信端末との相互通信で無線回路種別を識別して前記アンテナの選択切替え指示を送出することを特徴とする携帯通信端末のアンテナ切替えシステム。
【請求項３】
請求項１に記載の携帯通信端末のアンテナ切替えシステムにおいて、前記外部アンテナと前記制御部と前記外部アンテナ切替え部とによりダイバーシティアンテナを形成することを特徴とする携帯通信端末のアンテナ切替えシステム。
【請求項４】
請求項１に記載の携帯通信端末のアンテナ切替えシステムにおいて、前記携帯通信端末と前記クレードルとの接続には、前記携帯通信端末と前記パーソナルコンピュータとの接続に用いられるＵＳＢハブとＵＳＢ端子とを用いることを特徴とする携帯通信端末のアンテナ切替えシステム。
【請求項５】
請求項１に記載の携帯通信端末のアンテナ切替えシステムにおいて、前記クレードルは、充電用として商用電源を受けて、接続する前記パーソナルコンピュータ及び装着される前記携帯通信端末に充電する充電回路を備えることを特徴とする携帯通信端末のアンテナ切替えシステム。
【発明の詳細な説明】
【技術分野】
【０００１】
本発明は、パーソナルコンピュータを含む情報処理装置が携帯型の通信端末を用いて複数種別の無線通信を行う際のアンテナ利得の切替えが簡便かつ容易なアンテナ切替えシステムに関するものである。
【背景技術】
【０００２】
従来の携帯通信端末のアンテナ切替えシステムを利用した装置として、例えば、特開２００１−２６８００７号公報（特許文献１）に、短距離通信可能な充電用クレードルを用いたシステムが開示されている。
【０００３】
このシステムの概要を、図６及び図７を併せ参照して説明する。ここでは、パーソナルコンピュータ（以後、パソコンと略称）４が充電用クレードル１０２にケーブル３で接続されており、充電用クレードル１０２は短距離無線装置に接続するアンテナ６を有している。従って、パソコン４は充電用クレードル１０２により短距離無線を利用することができる。充電用クレードル１０２は、更に、例えば携帯電話機、携帯無線ラジオなど、他の携帯無線端末１０１を装着する機能を有し、それら携帯無線端末１０１に充電すると共に商用電源がない場合にはパソコン４から電源を供給できる機能を有している。しかしながら、その携帯無線端末１０１の内蔵アンテナ５は小型であり、その受信信号レベルが小さくなることは否めないにも拘わらず、アンテナを切替えする仕組みはない。
【０００４】
この改善のために想到できるものが、携帯無線端末が内部アンテナを外部アンテナに切替えする方法である。例えば特開２００１−２４７８５号公報（特許文献２）では、外部接続端子を増やさずに、自動車の車載アンテナへの接続を可能にする携帯電話機が開示されている。
【０００５】
図８を参照してこのシステムの概要を説明する。ここでは、携帯通信端末１１１が車載アダプタ１１２に装着された際、車載アダプタ１１２のアンテナ１１３と図示されていない充電回路とが接触端子を介して携帯通信端末１１１に引き込まれる。携帯通信端末１１１が車載アダプタ１１２に装着が完了した際には、両者が有する赤外線デバイス１１４，１１５間の赤外線通信により装着の結合確認が検出される。携帯通信端末１１１は、この検出によりＳＷ（切替えスイッチ）７を作動させ、内部アンテナ５を車載アダプタ１１２に接続される自動車設置のアンテナ１１３に切替えして受信信号を無線回路に導く。この結果、携帯通信端末１１１の無線回路に電界レベルの高い信号を受信することができる。しかしながら、この特許文献２の携帯通信端末では、充電用クレードルが車載アダプタであり、携帯通信端末の充電機能と受信感度の向上との併用を図る際の外部接続端子の増加を回避しているのみである。すなわち、自動車アンテナのような大型アンテナを前提としており、この充電用クレードルにはアンテナを有していない。更に、携帯通信端末の送受信データを車載される可聴可視を対象とするＡＶ（Audio Visual）装置に入出力している。
【０００６】
このような上述した従来の技術では、特許文献１でのクレードルで短距離無線を対象として無線回路を内蔵しているが、このクレードルに特許文献２の車載アダプタを適用する場合では、自動車等の車載アンテナの電界強度を利用する切替えなので、携帯型を含むパソコンに接続される携帯通信端末に求められる複数種類の無線通信に対応するアンテナの切替えを確実、かつ容易に可能にするためのアンテナ切替え指示を含む構造は説明されておらず、またその示唆もない。
【０００７】
【特許文献１】特開２００１−２６８００７号公報
【特許文献２】特開２００１−２４７８５号公報
【発明の開示】
【発明が解決しようとする課題】
【０００８】
解決しようとする課題は、携帯型を可能とするパソコンに直接接続できる携帯通信端末がクレードルを介して接続されるにも拘わらず、接続される携帯通信端末に求められる複数種類の無線通信に対応するアンテナの切替えを、確実かつ容易に可能にするためのアンテナ切替えを含む構造が提示されていないことである。
【課題を解決するための手段】
【０００９】
本発明による携帯通信端末のアンテナ切替えシステムは、内蔵アンテナを有する携帯通信端末が、外部アンテナを有するクレードルに装着され、前記クレードルに接続するパーソナルコンピュータ（以後、パソコン）と通信する際に、前記内蔵アンテナを前記外部アンテナに切替えするシステムであって、上記課題を解決するため、前記パソコンは前記携帯通信端末との接続が確認された際に前記携帯通信端末にアンテナの選択切替え指示を送る切替え選択部を備え、前記携帯通信端末はその選択切替え指示を受ける制御部とこの制御部の制御を受けて内蔵アンテナと外部アンテナとを切替えする内蔵アンテナ切替え部とを備えることを主要な特徴とする。また、前記パソコンと前記携帯通信端末との接続確認は、相互で予め定められたコマンドの正常な授受によることができる。
【００１０】
このような構成を有するので、携帯通信端末における内蔵アンテナから外部アンテナへ切替える指示は、使用するアンテナをパソコンからユーザが手動選択することにより可能であると共に、その設定を変更することにより、パソコンからコマンドの正常授受に基づき自動的に選択することも可能である。
【００１１】
また、前記クレードルは前記パソコンの選択切替え指示を受ける制御部とこの制御部の制御を受けて複数の前記外部アンテナを切替えして一つを選択する外部アンテナ切替え部を備え、この外部アンテナ切替え部は前記パソコンと前記クレードルとの相互で予め定められたコマンドの正常な授受により選択切替えの動作を実行することができる。これにより、複数の外部アンテナを無線種別に基づく専用アンテナで構成することもできる。
【００１２】
このような場合、前記パソコンと前記携帯通信端末との相互間で通信コマンドが予め定められており、前記切替え選択部は前記携帯通信端末との相互通信で無線回路種別を識別して前記アンテナの選択切替え指示を送出できることが好ましい。更に、複数の外部アンテナに対して制御部にダイバーシティ方式機能を持たせて制御することもできる。
【００１３】
なお、前記携帯通信端末には、前記クレードルの外部アンテナを引き込む回路と、前記クレードルと確実な接続を確認するための結合検出手段とを備え、前記内蔵アンテナ切替え部は、前記結合検出手段が接続を確認検出した際に内蔵アンテナを前記外部アンテナに切替えすることができる。このような構成により、クレードルに装着されてパソコンに接続される際には、内蔵アンテナがクレードルに搭載の外部アンテナに自動的に切替えされるので、それだけで十分な安定した信号の受信が確保される。
【００１４】
また、前記クレードルと前記携帯通信端末との接続にＵＳＢ（Universal Serial Bus）ハブとＵＳＢ端子とを用いることは、携帯通信端末をパソコンに直接結合することができるうえ、端子の統一した利用ができて便利なので、好ましい。更に、前記クレードルと前記携帯通信端末とを固定保持する結合部に、接触することにより接続確認するデバイスを備えることは、接触面でＵＳＢ端子以外に突出部分がないため、パソコン及びクレードルの両者に支障なく装着できるので望ましい。この結合デバイスは、前記クレードルと前記携帯通信端末との接触で赤外線を授受することにより接続確認する赤外線デバイスとすることができる。更に、前記クレードルは、充電用として商用電源を受け、接続する前記パーソナルコンピュータ及び装着される前記携帯通信端末に充電する充電回路を備えることもよい。
【発明の効果】
【００１５】
本発明の携帯通信端末のアンテナ切替えシステムは、パソコンと接続するクレードルに携帯通信端末を装着した際、携帯通信端末の内蔵アンテナをクレードルに搭載された外部アンテナにパソコンから切替え指示しているため、ユーザによるアンテナの選択が可能であり、携帯通信端末それぞれが有する複数種類の無線通信に対応するアンテナの切替えを確実に容易に可能とさせるという利点がある。
【００１６】
また、携帯通信端末がクレードルに装着されパソコンに接続される際には、結合検出手段が電圧供給される赤外線デバイスの赤外線授受により両者の結合を検出して出力するので、パソコンからの切替え指示がない場合でも内蔵アンテナを外部アンテナに切替えすることが可能である。
【発明を実施するための最良の形態】
【００１７】
パソコンと接続するクレードルに携帯通信端末を装着した際に、携帯通信端末それぞれが有する複数種類の無線通信に対応するアンテナの切替えを確実に容易に選択可能とするという目的を、パソコンが携帯通信端末との接続が確認された際に携帯通信端末にアンテナの選択切替え指示を送る切替え選択部を備え、携帯通信端末はその選択切替え指示を受ける制御部とこの制御部の制御を受けてアンテナを切替えする内蔵アンテナ切替え部とを備えることにより、実現した。無線通信には、個人が利用する電話、データおよび放送などを含み、パソコンにはスピーカ及びディスプレイなどのＡＶ機能を有するので、ユーザは、選択されたアンテナから携帯通信端末で受信した無線信号をパソコンのＡＶ機能で確認することによりアンテナを選択することができる。以降で、図面を参照して実施態様を説明するが、上記機能を損なわない限りその構成を、分割・併合等により変更することは自由であり、以下の説明が本発明を限定するものではない。図面上で示される相対寸法は部分的な拡張などにより一致していない。また、動作機能上で必須であっても、図示を省略しているものがある。
【実施例１】
【００１８】
本発明の実施例１について図１から図４までを併せ参照して説明する。
【００１９】
図１は、本発明による携帯通信端末のアンテナ切替えシステムにおける構成の実施の一形態を示す鳥瞰図である。
【００２０】
図示されるように、携帯通信端末１は、クレードル２に装着され、ＵＳＢケーブル３でパソコン（以後、ＰＣと略称する）４に接続される。携帯通信端末１は内蔵アンテナ５を、またクレードル２は外部アンテナ６を、それぞれ有する。携帯通信端末１は、ＵＳＢ端子１１と赤外線結合部１２とを有し、クレードル２の装着穴１３に挿入され、装着穴１３底部で回路が結合される。ＵＳＢ端子１１はクレードル２との電気回路を接続する。赤外線結合部１２は、クレードル２との赤外線授受により接続完了を検出する。携帯通信端末１のＵＳＢ端子１１は、クレードル２に装着する一方、ＰＣ４のＵＳＢハブ１７にも直接装着可能である。その際、装着確認のための赤外線結合部１２は、突出部分がないのでその装着の障害とならない。
【００２１】
クレードル２は、更にＵＳＢハブ１４を有し、ＵＳＢケーブル３の一端のＵＳＢ端子１５と結合する。ＵＳＢケーブル３の他端のＵＳＢ端子１６がパソコン４のＵＳＢハブ１７と結合することにより、携帯通信端末１はパソコン４との相互通信が可能となる。
【００２２】
パソコン４は、キーボード及び画面タッチパネルのようなユーザによる手動操作入力手段及びディスプレイのような画面表示出力手段を有する、通常の機能に加えて、携帯通信端末１及びクレードル２との間で通信を可能とするプログラムを有している。詳細は後述する。
【００２３】
図２は、図１に示される本発明による携帯通信端末のアンテナ切替えシステムにおける特徴を示す図である。図２では、図１の携帯通信端末１において、上記内蔵アンテナ切替え手段であるＳＷ（スイッチ）７が追加され、内蔵されている無線回路部８及び制御部９が示されている。また、ＰＣ４には機能ブロックとして切替え選択部１０が図示されている。図示されるように、携帯通信端末１がクレードル２に固定接続された際には、制御部９が切替え選択部１０との間で予め設定されているコマンドの正常な授受により、確実な安定接続が確認される。従って、切替え選択部１０は、制御部９を介して無線回路部８との通信が可能になり、無線回路種別を知ることができる。
【００２４】
一方、制御部９は、切替え選択部１０から指示を受けた際に、ＳＷ７を制御して内蔵アンテナ５を外部アンテナ６に切替えし、外部アンテナ６が無線回路８に接続される。無線回路部８は外部アンテナ６から受ける無線信号を変換して制御部９からクレードル２及びＵＳＢケーブル３を介してＰＣ４に送る。その結果、ＰＣ４は、外部アンテナ６と接続される無線回路部８を用いて無線通信が可能である。ＰＣ４は、受信信号をＡＶ機能で出力できるので、例えばユーザが切替え選択部１０に指示して外部アンテナ６を内蔵アンテナ５に切替えることができる。勿論、プログラム制御によりＰＣ４が自動的にアンテナ選択する機能を付加してもよい。無線回路部８は携帯通信端末１の種別により変更されるので、ＰＣ４はその種別に対応した確実な無線通信を実行することができる。一つの外部アンテナ６は汎用アンテナにより多種の無線方式に対応することができる。
【００２５】
図３は、上述した携帯通信端末１及びクレードル２の詳細な実施の一形態を示した図である。図３では上述の無線回路部８及び制御部９に加えて更に、携帯通信端末１はＨＰＦ（高域通過フィルタ）２１、結合検出部２２、及び電源部２３を備えている。クレードル２はＵＳＢハブ３１、赤外線結合部３２、ＨＰＦ３３、及び充電部３４を備えている。携帯通信端末１とクレードル２とが図１で示される装着穴１３で結合した際、ＵＳＢ端子１１はＵＳＢハブ３１と嵌合し赤外線結合部１２は赤外線結合部３２と接触する。クレードル２のＵＳＢハブ１４はＵＳＢケーブル３のＵＳＢ端子１５と嵌合し結合する。
【００２６】
ＨＰＦ２１はキャパシタＣ１及びインダクタＬ１を有し、クレードル２から受ける無線信号を、キャパシタＣ１がＳＷ７へ送る一方、インダクタＬ１が内部回路への伝送を阻止する。また、クレードル２から受ける直流電源ＶＣＣが、インダクタＬ１を介して内部回路へ送られる一方、キャパシタＣ１によりＳＷ７への供給を阻止している。無線回路部８は、その携帯通信端末１が所有する無線通信のための送受信回路である。制御部９はプログラム制御されるプロセッサとメモリとにより携帯通信端末１の機能動作を制御する。結合検出部２２は赤外線結合部１２から赤外線結合部３２との結合を検出して制御部９に通知する。電源部２３は、電池などで構成され、携帯通信端末１の携帯時に動作する各回路に電源供給する。
【００２７】
ＵＳＢハブ３１は携帯通信端末１のＵＳＢ端子１１と嵌合により結合する。赤外線結合部３２は、ＰＣ４からＵＳＢハブ１４を介して電源ＶＣＣの供給を受け、赤外線の赤外線結合部１２への送信を可能にしている。ＨＰＦ３３はキャパシタＣ２及びインダクタＬ２を有し、外部アンテナ６から受ける無線信号を、キャパシタＣ２を介して携帯通信端末１へ送る一方、インダクタＬ２が内部回路への伝送を阻止する。また、ＵＳＢ１４から受ける電源ＶＣＣが、インダクタＬ２を介して携帯通信端末１へ送られる一方、キャパシタＣ２により外部アンテナ６への供給を阻止している。従って、ＵＳＢハブ３１とＵＳＢ端子１１との嵌合により、ＰＣ４に接続されＵＳＢハブ１４から供給される直流電源ＶＣＣは携帯通信端末１の電源部２３の電池を充電できる。関連回路は周知のものでよい。
【００２８】
以下に、図３に図１及び図２を併せ参照して本発明によるシステムの動作機能について説明する。携帯通信端末１はＰＣ４との間で制御コマンド等を独自に定義しているものとする。
【００２９】
まず、携帯通信端末１が図１で示されるＰＣ４のＵＳＢハブ１７に直接装着の場合にはＵＳＢ端子１１がＵＳＢハブ１７に嵌合される。この状態では、ＵＳＢ端子１１を介して受ける電圧ＶＣＣがＨＰＦ２１のインダクタＬ１を介して携帯通信端末１の内部に供給され、内蔵アンテナ５で受信の無線信号はＳＷ７から無線回路部８及び制御部９を介してＵＳＢ端子１１からＰＣ４に送られる。これにより、ＰＣ４は、携帯通信端末１から無線信号を受けると共に、制御部９を直接制御することができる。この直接装着の場合には赤外線結合部１２での赤外線結合はないため結合検出部２２が結合を検出しない。従って、制御部９は、この結合検出部２２からの結合通知を受けることがないので、ＳＷ７を制御しない。これにより、一般のＰＣにこの携帯通信端末１を直接装着する場合においても制御部９への不要な制御が回避できる。
【００３０】
次に、クレードル２がＵＳＢケーブル３によりＰＣ４と接続された状態で、携帯通信端末１とクレードル２とが結合された場合について説明する。この際、赤外線結合部３２，１２間で赤外線を授受することにより結合検出部２２が確実な結合を検出して制御部９に通知する。制御部９はこの通知を受けてＰＣ４に結合完了の信号を送る。一方、ＰＣ４でも、制御部９を呼び出して接続の直接完了を確認する。接続の完了確認により、ＰＣ４は切替え選択部１０からアンテナの切替え指示を送る。この指示は、ユーザによる手動入力によるものとする。しかし、その設定を変更することにより、切替え選択部１０では、接続完了を確認次第、自動的に切替え指示を送達することができる。
【００３１】
切替え指示を受けた携帯通信端末１の制御部９はＳＷ７を駆動し、ＨＰＦ２１，３３を介して無線回路部８を外部アンテナ６に接続する。この結果、外部アンテナ６で受信した無線信号が無線回路部８に受信され、制御部９によりＵＳＢハブ１４からＵＳＢケーブル３を介してＰＣ４に送られる。
【００３２】
ここで、図４に図２及び図３を併せ参照して携帯通信端末１の制御部９におけるＳＷ７の切替え手順についてフローチャートにより説明する。
【００３３】
携帯通信端末１では通常、ＳＷ７により図示されるように、内蔵アンテナ５の引き込み状態（手順Ｓ１）にある。結合検出部２２の結合検出なし(手順Ｓ２のＮＯ)でかつＰＣ４の制御受付けなし（手順Ｓ３のＮＯ）の場合には、手順Ｓ１〜３の状態を繰り返す。
【００３４】
手順Ｓ２が「ＹＥＳ」で、結合検出部２２の結合検出があった場合、携帯通信端末１がクレードル２に装着されたので、制御部９は、ＰＣ４からの制御受付けなし（手順Ｓ４のＮＯ）である限り、ＳＷ７を制御して内蔵アンテナ５をクレードル２の外部アンテナ６へ切替え（手順Ｓ５）を行う。ここで、携帯通信端末１がクレードル２から取外しされた場合、結合検出部２２の結合検出が消滅（手順Ｓ６のＹＥＳ）するので、制御部９は、ＳＷ７を制御して内蔵アンテナ５の引き込み状態（手順Ｓ７）にする。すなわち、最初の手順Ｓ１に戻す。上記手順Ｓ６が「ＮＯ」で結合検出部２２の結合検出が継続する場合には手順Ｓ４に戻り、以降の手順を繰り返す。
【００３５】
上記手順Ｓ４が「ＹＥＳ」で、ＰＣ４からの制御受付けがある場合、制御部９はＰＣ４の制御を受けてＳＷ７による内蔵アンテナと外部アンテナとの切替え（手順Ｓ８）を制御する。この制御は、制御部９でＰＣ４制御の受付け消滅（手順Ｓ９のＹＥＳ）の際まで継続する。この手順Ｓ９の「ＹＥＳ」が例えば、携帯通信端末１がクレードル２からの切離しでＰＣ４制御の受付けを消滅した場合、結合検出の消滅（手順Ｓ１０のＹＥＳ）もあって、手順は上記手順Ｓ７に続く。他方、ＰＣ４がクレードル２から切離しされる場合では、上記手順Ｓ１０が「ＮＯ」であり、続く手順は上記手順Ｓ４に戻り、以降の手順を繰り返す。
【００３６】
なお、独自に制御コマンド等を定義する以外、ＰＣ４からそのコマンドを使用して制御部９へのプロファイルデータを変更する方法、又はハードウェア的な切替え手段を実装する等により、外部アンテナ接続検出のモニタを行わない設定であってもよい。すなわち周知の技術を併用することが可能である。従って、制御部９は、クレードル２の外部アンテナ６と携帯通信端末１の内蔵アンテナ５との電波強度を判断してＰＣ４に通知し、ＰＣ４から適切なアンテナ切替えの指示を行うことも可能である。
【００３７】
また、上述したように、ＰＣ４からのコマンドを用いないでハード的に赤外線結合部１２，３２間で赤外線を授受することにより制御部９に通知し、この通知を受けて制御部９がＳＷ７を駆動し、内蔵アンテナから外部アンテナへ切替えも可能である。従って、携帯通信端末１は、ＰＣ４に特別な切替え制御部のプログラムを持たない一般のＰＣにも、接続可能である。すなわち、クレードル２に装着された携帯通信端末１は、クレードル２を介して一般ＰＣのＵＳＢハブ１７に接続することで、内蔵アンテナ５を外部アンテナ６へ自動的に切替えることになる。
【００３８】
また、クレードル２が一つのアンテナ６を有するとして図示し説明したが、その一つのアンテナを各種無線方式に対応する専用として嵌合による差替え自在とするものであってもよい。このような構成の場合、切替えによる電波強度の判定はアンテナ選択に有効に働くであろう。
【００３９】
一方、直流電源ＶＣＣは、ＰＣ４からＵＳＢケーブル３、ＵＳＢハブ１４、ＨＰＦ３３のインダクタＬ２、及びＨＰＦ２１のインダクタＬ１を介して携帯通信端末１に電源＋Ｖとして供給される。
【００４０】
このような構成を採用したので、パソコンと接続するクレードルに携帯通信端末を装着した際、内蔵アンテナをクレードルに搭載された外部アンテナに、自動的に、又はＰＣからの制御で切替えが行われている。このため、アンテナを選択して受信信号の感度を上げることができるので、携帯通信端末それぞれが有する複数種類の無線通信に対するアンテナの切替えを確実に容易に可能とさせる効果がある。
【実施例２】
【００４１】
本発明の実施例２について図１及び図５を併せ参照して説明する。
【００４２】
図５は、上述した本発明による携帯通信端末のアンテナ切替えシステムとは異なる構成の実施の一形態をブロックで示す図である。
【００４３】
上記図２との相違は、クレードル２Ａに、外部アンテナ６Ａ，６Ｂ、外部アンテナ切替え部としてＥＸＴＡ−ＳＷ３４、制御部３５、及び充電部３６が、またＰＣ４Ａに切替え選択部１０Ａが、それぞれ図示されていることである。ここでは、便宜上、制御部９をＭＢＬ（携帯通信端末）制御部、また制御部３５をＣＲＤＬ（クレードル）制御部とそれぞれを区別して説明する。
【００４４】
ＰＣ４Ａは、携帯通信端末１以外に、クレードル２Ａとの間で制御コマンド等を独自に定義している。外部アンテナ６Ａ，６Ｂはそれぞれが無線方式に適した専用アンテナであるとする。ＥＸＴＡ−ＳＷ３４は、外部アンテナ６Ａ，６Ｂそれぞれを引き込み、ＣＲＤＬ制御部３５に制御を受けて外部アンテナ６Ａ，６Ｂのいずれか一つを選択して携帯通信端末１のＳＷ７に接続する。ＣＲＤＬ制御部３５はＰＣ４とコマンドの授受により切替え選択する一つの外部アンテナをＥＸＴＡ−ＳＷ３４に指示する。切替え選択部１０Ａは、ユーザの手動入力により、選択する外部アンテナをＣＲＤＬ制御部３５に指示する。
【００４５】
また、外部アンテナ６Ａ，６Ｂはダイバーシティアンテナであってもよい。ダイバーシティ機能はＥＸＴＡ−ＳＷ３４とＣＲＤＬ制御部３５との共同作業で実現される。上記説明では二つの外部アンテナであるが、更に多くの外部アンテナを備えてもよい。勿論、クレードル以外に設置された外部アンテナを接続する構成でもよい。
【００４６】
図示されるクレードル２Ａは、充電兼用である。充電部３６は、商用電源を受けて、携帯通信端末１及びＰＣ４それぞれに内蔵する電源部の電池を充電するように設備されている。
【産業上の利用可能性】
【００４７】
本発明では、パソコンがクレードルを介した携帯通信端末との接続が確認された際に携帯通信端末にアンテナの選択切替え指示を送る切替え選択部を備え、携帯通信端末はその選択切替え指示を受ける制御部とこの制御部の制御を受けて内蔵アンテナをクレードルの外部アンテナに切替えする内蔵アンテナ切替え部とを備えている。このような構成によって、無線回路を持たないパソコンのような情報処理装置と接続するクレードルに携帯通信端末を装着した際、携帯通信端末の内蔵アンテナをクレードルに搭載された外部アンテナにパソコンから切替え指示できるため、ユーザによるアンテナの選択が可能であり、携帯通信端末それぞれが有する複数種類の無線通信に対応するアンテナの切替えを確実に容易に可能とさせることが必要かつ不可欠な情報処理装置への用途に適用が期待される。
【図面の簡単な説明】
【００４８】
【図１】携帯通信端末のアンテナ切替えシステムの実施の一形態を鳥瞰により示した説明図である。（実施例１）
【図２】図１の構成機器を組込みし接続した場合の携帯通信端末のアンテナ切替えシステムの実施の一形態をブロック構成で示した説明図である。（実施例１）
【図３】図１の構成機器のうちの携帯通信端末及びクレードルにおける回路構成の実施の一形態を回路及びブロックで示した説明図である。（実施例１）
【図４】図1の携帯通信端末の制御部におけるＳＷの切替え手順の実施の一形態をフローチャートで示した説明図である。（実施例１）
【図５】図２とは異なる携帯通信端末のアンテナ切替えシステムの実施の一形態をブロック構成で示した説明図である。（実施例２）
【図６】携帯無線端末のクレードル及びそれを用いたシステムの一例を示した説明図である。
【図７】図４の構成機器を組込みし接続した場合のシステムの構成説明図である。
【図８】携帯通信端末のアンテナ切替えシステムの一例を示した説明図である。
【符号の説明】
【００４９】
１    携帯通信端末
２、２Ａ    クレードル
３    ＵＳＢケーブル
４    パソコン（ＰＣ）
５    内蔵アンテナ
６、６Ａ、６Ｂ    外部アンテナ
７    ＳＷ（内蔵アンテナ切替え部）
８    無線回路部
９、３５    制御部
１０，１０Ａ    切替え選択部
１１、１５、１６    ＵＳＢ端子
１２、３２    赤外線結合部
１３    装着穴
１４、１７、３１    ＵＳＢハブ
２１、３３    ＨＰＦ
２２    結合検出部
２３    電源部
３４    ＥＸＴＡ−ＳＷ（外部アンテナ切替え部）
３６    充電部
【図１】
0004516935.tif 000002
【図２】
0004516935.tif 000003
【図３】
0004516935.tif 000004
【図４】
0004516935.tif 000005
【図５】
0004516935.tif 000006
【図６】
0004516935.tif 000007
【図７】
0004516935.tif 000008
【図８】
0004516935.tif 000009